(57)【要約】【課題】給湯位置と給湯量の両方がわかりやすい使い勝手の良い電気湯沸かし器を提供することを目的とする。【解決手段】給湯前には第１の照射光Ｄで湯の到達位置である調理容器Ａの載置面Ｃを照らして給湯位置を示し、給湯開始後には第１の照射光Ｄよりも照射範囲が広く少なくとも給湯口２５の下方と給湯口２５を設けた本体側面２１ａ間を照射する第２の照射光Ｅで調理容器Ａの水位面を照らすようにしたものである。これによって、給湯前には給湯位置が、そして給湯開始後には給湯量がわかりやすい使い勝手の良いものとすることができる。【選択図】図１
2006122294.tif 000002
【特許請求の範囲】
【請求項１】
本体内に設けられた液体を収容する容器と、前記容器内の液体を導出する電動ポンプと、と、前記電動ポンプで導出された液体を本体外の調理容器に給湯する給湯口と、照射範囲の異なる少なくとも２種類の照射光を調理容器側に向けて照射する照射装置と、前記電動ポンプへの通電を操作するポンプスイッチと、前記照射装置への通電を操作するとともに前記ポンプスイッチの操作を可能にする操作スイッチを備え、前記照射装置から発する照射光の一つは光源の光を調理容器の載置面でかつ前記給湯口より出湯される液体の到達位置に集光した第１の照射光とし、もう一つは前記第１の照射光よりも照射範囲が広く少なくとも前記給湯口の下方と給湯口を設けた本体側面間を照射する第２の照射光とし、前記ポンプスイッチの操作により前記電動ポンプへの通電を開始するとともに前記第２の照射光を照射する電気湯沸かし器。
【請求項２】
第２の照射光はその照度を第１の照射光よりも落した請求項１に記載の電気湯沸かし器。
【請求項３】
照射装置は光源と、光源から発した光を集光する集光部とを備え、ポンプスイッチの操作に連動して前記集光部を切り替えまたは移動し、第１の照射光から第２の照射光に照射を切り替える請求項２に記載の電気湯沸かし器。
【請求項４】
照射装置は移動可能な光源と、光源から発した光を集光する集光部とを備え、ポンプスイッチの操作に連動して前記光源の位置を移動し第１の照射光から第２の照射光に照射を切り替える請求項２に記載の電気湯沸かし器。
【発明の詳細な説明】
【技術分野】
【０００１】
本発明は、給湯位置を光の照射により明るくする電気湯沸かし器に関するものである。
【背景技術】
【０００２】
従来、この種の電気湯沸かし器には、使用者に給湯する湯の到達位置を知らせるために湯の到達位置またはその近傍を照射する照射装置を備えているものがあった（例えば、特許文献１参照）。
【０００３】
これは、図６に示すように、本体１内には、加熱用のヒータを有した容器２が備えられ、容器２の底には容器２内の湯を本体外へ導く電動ポンプ３が取り付けられている。電動ポンプ３は水管４と連結され、水管４は調理容器Ａに湯を供給するための給湯口５を備えたケース６に接続されている。給湯口５と本体１との間には湯の到達位置Ｂが確認できるようにランプ７と集光部８を備えた照射装置９が設けられている。ランプ７から発した光は集光部８により集光されて調理容器Ａの載置面Ｃを照射するようになっている。また、照射光Ｄの載置面Ｃでの照射位置は、出湯した湯の載置面Ｃへの到達位置Ｂと略同一またはその近傍に設定してある。そして、照射装置９のオンオフは操作スイッチ１０により、電動ポンプ３のオンオフはポンプスイッチ１１を操作することによって行われる。
【特許文献１】特開平５−９１９４８号公報
【発明の開示】
【発明が解決しようとする課題】
【０００４】
しかしながら、前記従来の構成では、給湯開始後もランプ７から発した光は集光部８により集光されて載置面Ｃを照射するため、調理容器Ａ内の液体が透明な場合には照射光が水位面を透過して調理容器Ａの底や内容物を照らしてしまい暗い所では照射して明るくしているにもかかわらず給湯した量がわかりにくいという課題を有していた。
【０００５】
本発明は、前記従来の課題を解決するもので、給湯前には給湯位置を、そして給湯開始後には水位面を照らし、給湯位置と給湯量の両方がわかりやすい使い勝手の良い電気湯沸かし器を提供することを目的とする。
【課題を解決するための手段】
【０００６】
前記従来の課題を解決するために、本発明の電気湯沸かし器は、給湯前には第１の照射光で湯の到達位置である調理容器の載置面を照らし、給湯中には第１の照射光よりも照射範囲が広く少なくとも給湯口の下方と給湯口を設けた本体の側面間を照射する第２の照射光で水位面を照らすようにしたものである。
【０００７】
これによって、給湯前には第１の照射光で給湯位置が、そして給湯開始後には第１の照射光よりも照射範囲が広く少なくとも前記給湯口の下方と給湯口を設けた本体側面間を照射する第２の照射光で給湯量がわかりやすくしており、使い勝手の良いものとすることができる。
【発明の効果】
【０００８】
本発明の電気湯沸かし器は、給湯位置と給湯量の両方がわかりやすい使い勝手の良いものとすることができる。
【発明を実施するための最良の形態】
【０００９】
第１の発明は、本体内に設けられた液体を収容する容器と、前記容器内の液体を導出する電動ポンプと、前記電動ポンプで導出された液体を本体外の調理容器に給湯する給湯口と、照射範囲の異なる少なくとも２種類の照射光を調理容器側に向けて照射する照射装置と、前記電動ポンプへの通電を操作するポンプスイッチと、前記照射装置への通電を操作するとともに前記ポンプスイッチの操作を可能にする操作スイッチを備え、前記照射装置から発する照射光の一つは光源の光を調理容器の載置面でかつ前記給湯口より出湯される液体の到達位置に集光した第１の照射光とし、もう一つは前記第１の照射光よりも照射範囲が広く少なくとも前記給湯口の下方と給湯口を設けた本体側面間を照射する第２の照射光とし、前記ポンプスイッチの操作により前記電動ポンプへの通電を開始するとともに前記第２の照射光を照射する電気湯沸かし器とすることにより、給湯前には第１の照射光で給湯位置が、そして給湯開始後には第１の照射光よりも照射範囲が広く少なくとも前記給湯口の下方と給湯口を設けた本体側面間を照射する第２の照射光で給湯量がわかりやすくしており、使い勝手の良いものとすることができる。
【００１０】
第２の発明は、特に、第１の発明において、第２の照射光はその照度を第１の照射光よりも落したことにより、照射光の透過度合いが落ち水位面の光っているのが見やすい。
【００１１】
第３の発明は、特に、第２の発明において、照射装置は光源と、光源から発した光を集光する集光部とを備え、ポンプスイッチの操作に連動して前記集光部を切り替えまたは移動し、第１の照射光から第２の照射光に照射を切り替えるようにしたことにより、一つの照射装置で２種類の照射光を照射でき安価に作ることができる。
【００１２】
第４の発明は、特に、第２の発明において、照射装置は移動可能な光源と、光源から発した光を集光する集光部とを備え、ポンプスイッチの操作に連動して前記光源の位置を移動し第１の照射光から第２の照射光に照射を切り替えるようにしたことにより、一つの照射装置で２種類の照射光を照射でき安価に作ることができる。
【００１３】
以下、本発明の実施の形態について、図面を参照しながら説明する。なお、この実施の形態によって本発明が限定されるものではない。
【００１４】
（実施の形態１）
図１、図２は、本発明の実施の形態１における電気湯沸かし器を示している。
【００１５】
図に示すように、本体２１内には、加熱用のヒータを有し上部を開口した液体を収容する容器２２が備えられ、容器２２の底には容器２２内の液体を本体２１外へ導出する電動ポンプ２３が取り付けられている。電動ポンプ２３は水管２４と連結され、電動ポンプ２３で導出された液体を本体２１外の調理容器Ａに給湯する給湯口２５へと繋がっている。この給湯口２５は本体側面２１ａ上部から水平方向に張り出した位置に設けられている。また、水管２４は給湯口２５を備えたケース２６に接続されている。
【００１６】
給湯口２５と本体２１との間には、湯の到達位置Ｂを知らせる第１の照射光Ｄを発する第１の照射装置２９が光源であるランプ２７と集光部２８を備えて設けられている。ランプ２７から発した光は集光部２８により集光され調理容器Ａの載置面Ｃを照射するようになっている。第１の照射光Ｄの載置面Ｃでの照射位置は、出湯した湯の載置面Ｃへの到達位置Ｂと略同一またはその近傍に設定してある。また、第１の照射装置２９の横には第１の照射装置２９よりも照射範囲が広く少なくとも給湯口２５の下方と本体側面２１ａ間を照らす第２の照射光Ｅを発する第２の照射装置３０が設けられている。
【００１７】
そして、第１の照射装置２９のオンオフは操作スイッチ３１により、電動ポンプ２３と第２の照射装置３０のオンオフはポンプスイッチ３２を操作することによって行われる。操作スイッチ３１の操作により第１の照射装置２９を点灯するとともにポンプスイッチ３２の操作を可能にする。第１の照射装置２９と第２の照射装置３０の照射は制御装置３３により制御され、ポンプスイッチ３２の操作により第１の照射装置２９から第２の照射装置３０の照射に切り替えられる。
【００１８】
以上のように形成された電気湯沸かし器について、以下その動作、作用を説明する。調理容器Ａに湯を注ぐ場合、まず操作スイッチ３１を操作してポンプスイッチ３２の操作を可能にする。操作スイッチ３１の操作によりポンプスイッチ３２の操作が可能になるとともに第１の照射装置２９が点灯するため、給湯する前に必ず第１の照射光Ｄで調理容器Ａの位置と湯の到達位置Ｂが合っているか確認することができる。位置がずれている場合には第１の照射光Ｄの位置と調理容器Ａの位置を合わせた後、ポンプスイッチ３２を操作して電動ポンプ２３を作動させる。湯の到達位置Ｂを調理容器Ａの内側に合わせてあることで、調理容器Ａの外側に湯を給湯してしまうといった失敗をすることがない。
【００１９】
そして、湯を注いでいくと照射が第１の照射装置２９から第２の照射装置３０に自動的に切り替わり、第２の照射光Ｅで広範囲、すなわち少なくとも給湯口２５の下方と本体側面２１ａ間を照らすようになる。水位の上昇とともに水位面が第２の照射光Ｅで照らされ水位を見ながら給湯を止めるタイミングを計ることができ、給湯量が多すぎたり少なすぎたりといったことを防ぐことができる。特に、周りが暗く調理容器Ａの内側が見にくいような場合に有効で、第２の照射光Ｅが給湯口２５の下方と本体側面２１ａ間を照らすため、調理容器Ａを本体側面２１ａに当てるようにおいても第２の照射光Ｅが調理容器Ａの内側面にできる水位面を必ず照らして光らせ水位が確認しやすい。また、自動的に切り替わるようにしたことにより切り替え操作の必要がなく、調理容器Ａを片手に持ち一方の手でポンプスイッチ３２を操作するといった動作も行うことができる。
【００２０】
なお、上記説明では第１の照射光Ｄと第２の照射光Ｅを発するために第１の照射装置２９と第２の照射装置３０を設けているが、少なくとも２種類の照射光を発することができるものであれば照射装置は一つでよい。また、第１の照射光Ｄから第２の照射光Ｅに切り替わる時に照射光が消えたように感じるのを防ぐため、切り替わり時に第１の照射光Ｄと第２の照射光Ｅの両方を照射してもよい。
【００２１】
（実施の形態２）
図３は、本発明の実施の形態２における電気湯沸かし器の照射装置の動作を示すものである。
【００２２】
図に示すように、本実施の形態では、第２の照射光Ｅはその照度を第１の照射光Ｄよりも落したものである。これにより、ポンプスイッチ３２の操作により電動ポンプ２３への通電を開始するとともに第１の照射光Ｄよりも照度を落した第２の照射光Ｅに切り替わり、第２の照射光Ｅで水位面が照らされる。
【００２３】
このように、本実施の形態では、第１の照射光Ｄよりも第２の照射光Ｅの照度を落しているため、照射光の透過度合いが落ち、水位面の光っているのが見やすい。
【００２４】
（実施の形態３）
図４は、本発明の実施の形態３における電気湯沸かし器を示すものである。
【００２５】
図に示すように、本実施の形態では、照射装置２９は光源（ランプ）２７と、光源２７から発した光を集光する集光部２８とを備え、ポンプスイッチ３２の操作に連動して前記集光部２８を矢印方向に切り替え自在または移動自在とし、第１の照射光Ｄから第２の照射光Ｅに照射を切り替えるようにした。これにより、ポンプスイッチ３２を操作していない時には光源２７の光が集光部２８によって集光され湯の到達位置Ｂを照射し、ポンプスイッチ３２を操作した時にはこれと連動して集光部２８が切り替えまたは移動して光源２７の光は集光されずに給湯口２５の下方を照らす。
【００２６】
このように、本実施の形態では、一つの照射装置２９で２種類の照射光を照射でき安価に作ることができる。
【００２７】
（実施の形態４）
図５は、本発明の実施の形態４における電気湯沸かし器を示すものである。
【００２８】
図に示すように、本実施の形態では、照射装置２９は矢印方向へ移動可能な光源（ランプ）２７と、光源２７から発した光を集光する集光部２８とを備え、ポンプスイッチ３２の操作に連動して前記光源２７の位置を透過窓２８ａ側に移動し第１の照射光Ｄから第２の照射光Ｅに照射を切り替えるようにした。これにより、ポンプスイッチ３２を操作していない時には光源２７の光が集光部２８によって集光され湯の到達位置Ｂを照射する。そして、ポンプスイッチ３２を操作した時には光源２７の光は集光部２８を通らず透過窓２８ｂを透過し直接給湯口２５の下方を照らす。
【００２９】
このように、光源２７を移動可能とすることにより、一つの照射装置で２種類の照射光を照射でき安価に作ることができる。
【産業上の利用可能性】
【００３０】
以上のように、本発明にかかる電気湯沸かし器は、給湯位置と給湯量の両方がわかりやすい使い勝手の良いものとすることができるので、給水器などの用途にも適用できる。
【図面の簡単な説明】
【００３１】
【図１】本発明の実施の形態１における電気湯沸かし器の断面図
【図２】同電気湯沸かし器の照射装置の動作説明図
【図３】本発明の実施の形態２における電気湯沸かし器の照射装置の動作説明図
【図４】本発明の実施の形態３における電気湯沸かし器の断面図
【図５】本発明の実施の形態４における電気湯沸かし器の断面図
【図６】従来の電気湯沸かし器の断面図
【符号の説明】
【００３２】
２１  本体
２１ａ  本体側面
２２  容器
２３  電動ポンプ
２５  給湯口
３１  操作スイッチ
３２  ポンプスイッチ
Ａ  調理容器
Ｂ  到達位置
Ｃ  載置面
Ｄ  第１の照射光
Ｅ  第２の照射光
【図１】
2006122294.tif 000003
【図２】
2006122294.tif 000004
【図３】
2006122294.tif 000005
【図４】
2006122294.tif 000006
【図５】
2006122294.tif 000007
【図６】
2006122294.tif 000008